(57)【要約】      （修正有）【課題】複数の表示装置に対して重複しない識別子を、容易に割り当てるマルチ映像システムを提供する。【解決手段】マルチ映像表示装置１０において表示装置１００には、自機が起動されると他の表示装置を検出し、識別子の割り当てのコマンドを送信するコマンド送信部と、複数の表示装置のうち表示装置１００以外である表示装置２００から識別子を受信する識別子受信部と、複数の表示装置の識別子のすべてが一意であるか否かを判定し、重複した識別子を検出するコンフリクト検出部と、コンフリクト検出部により検出された重複した識別子を記憶する記憶部とを備える。複数の表示装置２００には、表示装置１００からのコマンドを受信するコマンド受信部と、識別子の割り当てのコマンドに基づいて識別子を割り当てる識別子割り当て部と、割り当てた識別子を少なくとも表示装置１００または表示装置２００のうちいずれかに送信する識別子送信部とを備える。【選択図】図１
2019129423.tif 000002
【特許請求の範囲】
【請求項１】
複数の表示装置を接続して構成するマルチ映像システムであって、
前記複数の表示装置のうち第１表示装置には、
前記第１表示装置が起動されると他の表示装置を検出し、前記複数の表示装置のそれぞれに、前記複数の表示装置のそれぞれ自身の識別子を割り当てるよう、前記第１表示装置の所定の識別子に基づいたコマンドを送信するコマンド送信部と、
前記複数の表示装置のうち第１表示装置以外である第２表示装置から、前記第２表示装置の識別子を受信する識別子受信部と、
前記複数の表示装置に割り当てられた識別子のすべてが一意であるか否かを判定することで、重複した識別子を検出するコンフリクト検出部と、
前記コンフリクト検出部により検出された前記重複した識別子を記憶する記憶部と、
を備え、
前記複数の表示装置のうち前記第２表示装置には、
前記第１表示装置からの前記コマンドを受信するコマンド受信部と、
前記コマンドに基づいて、前記第２表示装置自身に識別子を割り当てる識別子割り当て部と、
割り当てた前記識別子を少なくとも前記第１表示装置または前記第２表示装置のうちいずれかに送信する識別子送信部と、
を備え、
前記コンフリクト検出部は、前記重複した識別子を前記記憶部に出力する際に、前記コマンド送信部に、前記第１表示装置の前記識別子を所定の識別子とし、前記複数の表示装置に、再度、前記コマンドを送信させる、
マルチ映像システム。
【請求項２】
前記識別子割り当て部は、前記コマンドと、他の表示装置の前記割り当てた識別子とに基づいて、前記識別子を割り当てる
請求項１に記載のマルチ映像システム。
【請求項３】
前記起動は、前記第１表示装置の電源が投入されることによって行われる
請求項１または２に記載のマルチ映像システム。
【請求項４】
複数の表示装置が接続されるマルチ映像システムにおける前記複数の表示装置のうちマスターとなる表示装置であって、
前記マスターとなる表示装置が起動されると他の表示装置を検出し、前記他の表示装置のそれぞれに、前記他の表示装置のそれぞれ自身の識別子を割り当てるようコマンドを送信するコマンド送信部と、
前記複数の表示装置のうち前記マスターとなる表示装置以外である、スレーブとなる表示装置から、前記スレーブとなる表示装置の識別子を受信する識別子受信部と、
前記複数の表示装置に割り当てられた前記識別子のすべてが一意であるか否かを判定することで、重複した前記識別子を検出するコンフリクト検出部と、
前記コンフリクト検出部により検出された前記重複した識別子を記憶する記憶部と、
を備えるマルチ映像表示装置。
【請求項５】
複数の表示装置が接続されるマルチ映像システムにおける前記複数の表示装置のうちスレーブとなる表示装置であって、
前記スレーブとなる表示装置が起動されると、前記複数の表示装置のうちマスターとなる表示装置から送信されるコマンドを受信するコマンド受信部と、
前記コマンドに基づいて、前記スレーブとなる表示装置自身に識別子を割り当てる識別子割り当て部と、
割り当てた前記識別子を少なくとも前記マスターとなる装置または前記スレーブとなる表示装置のうちいずれかに送信する識別子送信部と、
を備えるマルチ映像表示装置。
【請求項６】
複数の表示装置が接続されるマルチ映像システムにおける識別子設定方法であって、
前記複数の表示装置のうち第１表示装置のコマンド送信部は、
前記第１表示装置が起動されると他の表示装置である第２表示装置を検出し、前記第２表示装置のそれぞれに、前記第２表示装置のそれぞれ自身の識別子を割り当てるようコマンドを送信し、
前記第２表示装置のコマンド受信部は、前記第１表示装置から入力された前記コマンドを受信し、
前記第２表示装置の識別子割り当て部は、前記第１表示装置から入力された前記コマンドに基づいて前記識別子を割り当て、
前記第２表示装置の識別子送信部は、前記識別子割り当て部が割り当てた前記識別子を、少なくとも前記第１表示装置または他の前記第２表示装置のうちいずれかに送信し、
前記第１表示装置のコンフリクト検出部は、前記割り当てた識別子のすべてが一意であるか否かを判定することで、重複した前記識別子を検出し、
前記第１表示装置の記憶部は、前記コンフリクト検出部の検出した、重複した前記識別子を記憶することで、前記記憶部の記憶した前記重複した識別子に基づいて、前記第１表示装置自身に割り当てる前記識別子を改めて設定した状態で、前記コマンド送信部からに前記コマンドを再度送信することで、前記コンフリクト検出部の検出した重複の解消を図る
識別子設定方法。
【発明の詳細な説明】
【技術分野】
【０００１】
本発明は、マルチ映像システム、マルチ映像表示装置、および識別子設定方法に関する。
【背景技術】
【０００２】
従来、入出力バスに接続されている複数のコンピュータ周辺装置に対して、他のコンピュータ周辺装置と重複しない識別子（装置番号）を設定するシステムがある（例えば、特許文献１）。
【０００３】
また、デイジーチェーン接続される複数の表示装置を行方向及び列方向に配列してマルチ映像システムを構成する技術がある。マルチ映像システムは、例えば、１つの映像信号を複数の表示装置の画面全体で表示することができる。このようなマルチ映像システムでは、表示装置のそれぞれを識別して映像表示の制御を行うために、各表示装置に対して識別子の自動設定を行う場合がある。
【先行技術文献】
【特許文献】
【０００４】
【特許文献１】特開平１０‐２１４２４８号公報
【発明の概要】
【発明が解決しようとする課題】
【０００５】
しかしながら、前述のマルチ映像システムは、入出力バスの接続する範囲内のすべての表示装置が上述のマルチ映像システムによる識別子の自動設定に対応していることを前提としている。そのため、入出力バスの接続する範囲内にマルチ映像システムに対応していない表示装置を含み、かつ、その表示装置が何らかの識別子を予め保持する場合、マルチ映像システムに対応していない表示装置の存在を考慮せず識別子の設定を行うと、識別子の重複が発生する可能性がある。
【０００６】
本発明は、このような事情に鑑みてなされたもので、その目的は、複数の表示装置で１つの映像信号を表示する場合において、複数の表示装置に対して、重複しない識別子を容易に割り当てることができるマルチ映像システム、マルチ映像表示装置、および識別子設定方法を提供することにある。
【課題を解決するための手段】
【０００７】
上述した課題を解決するために、本発明は、複数の表示装置が接続されるマルチ映像システムであって、前記複数の表示装置のうち第１表示装置は、自機が起動されると、他の表示装置に識別子の割り当てのコマンドを送信するコマンド送信部を備え、前記第１表示装置以外である第２表示装置は、前記第１表示装置からのコマンドを受信するコマンド受信部と、前記コマンド受信部により受信したコマンドに基づいて識別子を割り当てる識別子割り当て部と、割り当てた前記識別子を少なくとも前記第１表示装置に送信する識別子送信部とを備え、更に前記第１表示装置は、前記第２表示装置から前記割り当てた識別子を受信する識別子受信部と、前記割り当てた識別子のすべてが一意の値となっているか否かを判定するコンフリクト検出部と、前記コンフリクト検出部により検出された重複した前記識別子を記憶する記憶部とを備え、前記コンフリクト検出部は、前記重複した識別子を前記記憶部に出力する際に、前記コマンド送信部に、前記第１表示部の前記識別子を所定の識別子とし、前記複数の表示装置に再度前記コマンドを送信させる。
【０００８】
また、本発明は、複数の表示装置が接続されるマルチ映像システムにおける前記複数の表示装置のうちマスターとなる表示装置であって、前記表示装置は、自機が起動されると他の表示装置を検出し、識別子の割り当てのコマンドを送信するコマンド送信部と、前記第２表示装置から前記割り当てた識別子を受信する識別子受信部と、前記割り当てた識別子のすべてが一意の値となっているか否かを判定するコンフリクト検出部と、重複した前記識別子を記憶する記憶部とを備える。
【０００９】
また、本発明は、複数の表示装置が接続されるマルチ映像システムにおける前記複数の表示装置のうちスレーブとなる表示装置であって、前記表示装置は、前記第１表示装置以外である第２表示装置は、前記第１表示装置からのコマンドを受信するコマンド受信部と、前記コマンド受信部が受信したコマンドに基づいて識別子を割り当てる識別子割り当て部と、割り当てた前記識別子を少なくとも前記第１表示装置に送信する識別子送信部とを備える。
【００１０】
また、本発明は、複数の表示装置が接続されるマルチ映像システムにおける識別子設定方法であって、前記複数の表示装置のうち第１表示装置のコマンド送信部は、自機が起動されると他の表示装置を検出し、識別子の割り当てのコマンドを送信し、前記第２表示装置のコマンド受信部は、第１表示装置からのコマンドを受信し、識別子割り当て部が、前記第１表示装置から入力されたコマンドに基づいて識別子を割り当て、識別子送信部が、前記割り当てた識別子を各表示装置に送信し、前記第１表示装置が前記割り当てた識別子のすべてが一意の値となっているか否かを判定するコンフリクト検出部と、重複した前記識別子を記憶する記憶部とにより、重複しない識別子を設定する識別子設定方法である。
【発明の効果】
【００１１】
以上説明したように、この発明によれば、マルチ映像システムにおける複数の表示装置に対して個別の識別子を割り当てた後に、識別子の重複を検出した場合、容易に識別子を再設定することができる。
【図面の簡単な説明】
【００１２】
【図１】第１の実施形態における、マルチ映像表示装置１０のブロック図である。
【図２】第２の実施形態における、マルチ映像表示装置１０Ａの識別子設定処理の結果の一例を示す図である。
【図３】マルチ映像表示装置１０Ｂの識別子設定処理の結果の一例を示す図である。
【図４】マルチ映像表示装置１０Ｂの識別子設定処理の重複検出時に対応がなされた結果の一例を示す図である。
【図５】マルチ映像表示装置１０Ｂの識別子設定処理の重複検出時に対応がなされた結果の他の一例を示す図である。
【図６】マルチ映像表示装置１０Ｃの識別子設定処理の結果の一例を示す図である。
【図７】マルチ映像表示装置１０Ｃの識別子設定処理の重複検出時に対応がなされた結果の一例を示す図である。
【図８】マルチ映像システム１Ａにおける識別子設定処理の流れの一例を示すフローチャート図である。
【発明を実施するための形態】
【００１３】
以下、本発明の一実施形態によるマルチ映像システムについて、図面を参照して説明する。
【００１４】
（第１の実施形態）
図１は、第１の実施形態によるマルチ映像システム１を構成するマルチ映像表示装置１０の構成を示すブロック図である。図１のマルチ映像表示装置１０は、表示装置１００と、複数の表示装置２００とを備える。以下、表示装置１００は「マスター」とも称する。また以下、表示装置２００は「スレーブ」とも称する。表示装置１００および表示装置２００は、ＬＡＮポートを２つ持つ、Ｌ２スイッチを搭載している。
【００１５】
（マルチ映像システムの構成）
まず、マスター側となる表示装置１００の動作について説明する。表示装置１００は、例えば、コマンド送信部１１０と、識別子受信部１２０と、コンフリクト検出部１３０と、記憶部１４０とを備える。コマンド送信部１１０は、表示装置２００を検出し、表示装置２００自身に識別子を割り当てさせるためのコマンドを送信する。また、表示装置２００自身に識別子を割り当てさせるためのコマンドには、後述する記憶部１４０の記憶する初期値に基づいて設定した表示装置１００の識別子と、他の表示装置２００にて既に割り当てられた識別子とが存在する場合にはその識別子とが、併せて送信される。
【００１６】
識別子受信部１２０は、表示装置２００のそれぞれに割り当てられた識別子を受信する。コンフリクト検出部１３０は、各表示装置に割り当てられた識別子のすべてに基づいて、重複判定処理を行う。重複判定処理とは、表示装置１００および表示装置２００に割り当てられた識別子のすべてが、一意の値となっているか否かを判定し、重複した識別子を検出する処理である。記憶部１４０は、コンフリクト検出部１３０により検出された、重複した識別子を記憶する。なお、記憶部１４０には、重複した識別子が記憶されるまで、あらかじめ表示装置１００自身の識別子を割り当てる際に参照する初期値が記憶されていてもよい。記憶部１４０は、例えば識別子が「０」から「１００」の間の数値で設定される場合、初期値として、「−１」を設定してもよい。なお、表示装置１００は、第１表示装置の一例である。
【００１７】
次に、スレーブ側となる表示装置２００の動作について説明する。表示装置２００は、例えば、コマンド受信部２１０と、識別子割り当て部２２０と、識別子送信部２３０とを備える。コマンド受信部２１０は、表示装置１００のコマンド送信部１１０からコマンドを受信する。識別子割り当て部２２０は、コマンド受信部２１０が受信したコマンドに基づいて、表示装置２００の識別子を割り当てる。識別子送信部２３０は、識別子割り当て部２２０で割り当てた識別子を、少なくとも表示装置１００または他の表示装置２００のいずれかに送信する。なお、表示装置２００は、第２表示装置の一例である。以下、マルチ映像システム１によって、表示装置１００および表示装置２００に重複しない識別子を設定する一連の処理を「識別子設定処理」と称する。
【００１８】
以下、マルチ映像表示装置１０による識別子設定処理の流れについて説明する。まず、表示装置１００のコマンド送信部１１０は、記憶部１４０の記憶する初期値に基づいて表示装置１００の識別子を設定する。コマンド送信部１１０は、表示装置１００の識別子と、表示装置２００に識別子を割り当てさせるためのコマンドを送信する。表示装置２００のコマンド受信部２１０は、表示装置１００から受信したコマンドおよび識別子を認識する。識別子割り当て部２２０は、表示装置２００自身の識別子を設定する。識別子送信部２３０は、表示装置１００から受信したコマンドおよび自身が設定した識別子を、少なくとも表示装置１００または他の表示装置２００のいずれかに送信する。
【００１９】
他の表示装置２００のコマンド受信部２１０は、表示装置１００または識別子設定済の表示装置２００のいずれかから受信したコマンドおよび設定済識別子を認識し、設定済の識別子とは重複しないように、自身の識別子を設定する。上述の識別子設定処理は、すべての表示装置２００が識別子を設定するまで行われる。以上のように、マルチ映像表示装置１０は識別子設定処理が行われる。
【００２０】
コンフリクト検出部１３０は、すべての表示装置２００の識別子設定処理の終了後に、重複判定処理を行う。コンフリクト検出部１３０は、識別子が重複していると判定した場合、記憶部１４０に重複した識別子を記憶させた後、再度識別子設定処理を行う。コンフリクト検出部１３０は、識別子が重複していないと判定した場合、一連の処理を終了する。
【００２１】
なお、マルチ映像システム１のマスターとなる表示装置１００は、例えば、起動するのに伴い、表示装置２００を検出する。表示装置１００が起動するとは、例えば表示装置１００の電源が投入されることである。また、コマンド送信部１１０は、例えば、すべての表示装置２００が起動するのに十分な時間が経過するまで、コマンドの送信を開始するのを待機してもよい。
【００２２】
以上説明した第１の実施形態のマルチ映像システム１によれば、マスターとなる表示装置１００とマスターとなる表示装置１００の記憶する初期値に基づいて識別子設定処理を行うことによって、マルチ映像システム１を構成する複数の表示装置の全てに対して、識別子の設定を行うことができる。
【００２３】
（第２の実施形態）
次に、第２の実施形態のマルチ映像システム１Ａについて説明する。以下の説明において、第１の実施形態で説明した内容と同様の機能を有する部分については、同様の名称および符号を付するものとし、その機能に関する具体的な説明は省略する。後述する他の実施形態についても同様とする。
【００２４】
以下、図２を用いて第２の実施形態のマルチ映像システム１Ａを構成するマルチ映像表示装置１０Ａによる識別子設定処理の流れの一例を説明する。なお、マルチ映像システム１Ａを構成するスレーブとなる表示装置２００には、例えば識別子設定処理に未対応の表示装置が含まれていてもよい。以下、未対応表示装置と称する。なお、未対応表示装置は、予め識別子を保持しているものとする。
【００２５】
[識別子設定処理の例]
図２に示すマルチ映像表示装置１０Ａは、いずれも縦に３台、横に３台の表示装置を並べた計９台の表示装置によって構成されるものとする。マルチ映像表示装置１０Ａは、例えば、各表示装置がＬＡＮケーブルを用いたデイジーチェーン接続されて構成される。各表示装置には、通信回線を介して、映像信号が順次伝送される。以下、マルチ映像表示装置１０Ａのうちマスターとなる表示装置は表示装置１００、スレーブとなる表示装置は表示装置２００Ａ〜表示装置２００Ｇ、未対応表示装置は未対応表示装置９００Ａと称する。
【００２６】
図２は、入力装置と接続されたマルチ映像表示装置１０Ａの識別子設定処理の結果の一例を示す図である。マルチ映像表示装置１０Ａは、表示装置１００と、表示装置２００Ａ〜表示装置２００Ｇと、未対応表示装置９００Ａとによって構成される。各表示装置は、例えば、Ｌ２スイッチを搭載し、Ｌ２スイッチのＬＡＮ２から、隣接する別の表示装置のＬＡＮ１に、映像信号やコマンドを送信する。表示装置１００は、例えば、表示装置１００のＬＡＮ２から表示装置２００ＡのＬＡＮ１に、映像信号やコマンドを送信する。なお、隣接する表示装置２００以外のＬＡＮ２のポートは、コマンドが送信されている間、遮断されるものとする。以下、各表示装置の位置関係を表す場合に、表示装置のＬＡＮ２に接続する表示装置を「上流」、各表示装置のＬＡＮ１に接続する表示装置を「下流」と称する。
【００２７】
以下、表示装置１００による識別子の割り当ての流れの一例を示す。なお、この識別子の割り当ての流れの一例では、識別子は数値を用いるものとし、識別子の取り得る値の下限として「１」、上限として「１００」が設定されているものとする。このとき、記憶部１４０に記憶されている初期値は、例えば「０」であるとする。
【００２８】
まず、コマンド送信部１１０は、表示装置１００の記憶部１４０に記憶された初期値の「０」に１を足した「１」を識別子に設定し、コマンドおよび識別子を下流に送信する。次に、表示装置１００の下流の表示装置２００Ａは、上流の表示装置１００から受信したコマンドおよび識別子を認識し、認識した値に１を足した識別子「２」を設定し、コマンドおよび識別子を送信する。以降、表示装置２００Ｂ〜表示装置２００Ｇは表示装置２００Ａと同様の処理を行い、表示装置２００Ｂは識別子として「３」を設定し、表示装置２００Ｇは識別子として「８」を設定する。したがってマルチ映像表示装置１０Ａの各表示装置には、識別子が、上流の表示装置から昇順で割り当てられる。なお、マルチ映像システム１Ａに未対応の表示装置９００Ａは、上流の表示装置から受信したコマンドおよび識別子を、そのまま下流の表示装置２００Ｄに送信する。
【００２９】
図２のマルチ映像表示装置１０Ａを構成する各表示装置には、表示装置１００による識別子の割り当てを１度実施した結果が、各表示装置の右上に示されている。例えば、図２の表示装置２００Ａの右上に「ＩＤ：２」とあるが、これは表示装置２００Ｄの識別子が「２」であることを示す。
【００３０】
また、表示装置２００Ａ〜表示装置２００Ｇおよび未対応表示装置９００Ａは、自らの識別子を、少なくとも１回、表示装置１００に送信する。表示装置１００は、すべての表示装置の識別子を受信し、重複判定処理を行う。例えば、図２に示す表示装置１００は、マルチ映像表示装置１０Ａの全ての識別子を受信し、重複していないことを判定する。上述のように、マルチ映像システム１Ａは識別子設定処理の処理を行う。
【００３１】
[識別子の重複が解消される例]
以下、図３および図４を用いて、第２の実施形態のマルチ映像システム１Ａ内の各表示装置のうちいずれかに重複した識別子がある場合に、重複を解消する識別子設定処理の流れの一例を説明する。図３および図４に示すマルチ映像表示装置１０Ｂは、図２と同様に縦に３台、横に３台の表示装置を並べた計９台の表示装置によって構成されるものとする。
【００３２】
図３は、入力装置と接続されたマルチ映像表示装置１０Ｂの識別子設定処理の結果の一例を示す図である。なお、図３の未対応表示装置９００Ａには、例えば、予め識別子として「５」が設定されている。この場合、コンフリクト検出部１３０は、重複判定処理の結果、未対応表示装置９００Ａと表示装置２００Ｄの識別子が重複しており、識別子が一意の値となっていないと判定する。コンフリクト検出部１３０は、重複した識別子「５」を記憶部１４０に記憶させる。表示装置１００は、２回目の識別子の割り当てを行う。
【００３３】
図４は、図３の状態から識別子の割り当てを再実施した結果の一例を示す図である。表示装置１００は、２回目の識別子の割り当てで識別子の重複が発生しないよう、記憶部１４０に記憶させた重複した識別子に基づいて起点となる識別子を決定する。図４に示す通り、例えば、コマンド送信部１１０は、表示装置１００の識別子に、起点として、重複した識別子「５」に１を加えた「６」を設定する。起点として設定する、重複した識別子に１を加えた識別子は、「所定の識別子」の一例である。表示装置２００Ａ〜表示装置２００Ｇの識別子割り当て部２２０は、それぞれ識別子の割り当ての再実施を行う。コンフリクト検出部１３０は、識別子の割り当ての再実施の後、改めて重複判定処理を行う。コンフリクト検出部１３０は、重複判定処理の結果、識別子のすべてが一意の値となっていると判定する。表示装置１００は、識別子設定処理を終了する。
【００３４】
なお、図４で示した例では、識別子が「１」から「１００」の間の数値で設定される例を示したが、識別子の初期値、上限値および下限値の設定次第では、識別子の割り当ての再実施により割り当ての途中で、設定する識別子が上限値まで使用されることが考えられる。そのような場合には、識別子の上限値の次の値として、例えば、識別子の下限値を利用し、識別子の割り当てを続行してもよい。例えば、図５は、図４で示した識別子の割り当ての上限値が「１０」であった場合に、設定される識別子の一例を示す図である。図５に示す通り、例えば、表示装置２００Ｄで識別子の上限である「１０」が設定された場合、下流の表示装置である表示装置２００Ｅには、識別子「１」が設定される。
【００３５】
このように、マルチ映像表示装置１０Ｂは、識別子の割り当てを実施した結果、識別子の重複を検出した場合、重複した識別子に基づいて起点となる識別子を変更して、識別子の割り当てを再実施することで、すべての表示装置に、重複のない識別子を設定することができる。
【００３６】
（識別子の重複を解消できない例）
ただし、マルチ映像システムによる識別子設定処理だけでは、識別子の重複が解消できない場合が考えられる。識別子の重複が解消できない場合とは、例えば、マルチ映像表示装置を構成する複数の表示装置に、同じ識別子を持つ複数の未対応表示装置９００を含む場合や、識別子の初期値、上限値および下限値の設定が不適切である場合などである。以下、図６および図７を用いて、マルチ映像システム１Ａ内の各表示装置の識別子の重複が解消できない場合の処理の流れの一例を説明する。
【００３７】
図６および図７は、図２〜図５とは異なる、マルチ映像表示装置１０Ｃの識別子設定処理の結果の一例を示す図である。図６および図７に示すマルチ映像表示装置１０Ｃは、図２〜図５で示したマルチ映像表示装置１０Ａおよびマルチ映像表示装置１０Ｂと同様に、いずれも縦に３台、横に３台の表示装置を並べた計９台の表示装置によって構成される。以下、マスターとなる表示装置は表示装置１００、スレーブとなる表示装置は表示装置２００Ａ〜表示装置２００Ｆ、マルチ映像システム１に未対応の表示装置は未対応表示装置９００Ａおよび９００Ｂと称する。
【００３８】
図６のマルチ映像表示装置１０Ｃは、例えば、識別子が「１」から「１００」の間の数値で設定されるという前提条件があるとする。また、未対応表示装置９００Ａおよび９００Ｂには予め識別子として「５」が設定されているとする。
【００３９】
図６のマルチ映像表示装置１０Ｃは、識別子の割り当てを１度実施しており、その結果を各表示装置の右上に示している。未対応表示装置９００Ａおよび９００Ｂには予め識別子として「５」が設定されており、表示装置２００Ｄの識別子と重複している。この場合、表示装置１００は、重複判定処理の結果、識別子が重複していると判定し、重複した識別子「５」を記憶部１４０に記憶させる。表示装置１００は、２回目の識別子設定処理を行う。
【００４０】
図７は、図６の状態から識別子の割り当てを再実施した結果の一例を示す図である。表示装置１００は、図６に示す通り、表示装置１００の識別子に、重複した識別子「５」に１を加えた「６」を設定し、２回目の識別子の割り当てを行った。しかしながら、未対応表示装置９００Ａおよび９００Ｂの識別子の重複は解消されない。コンフリクト検出部１３０は、再び重複判定処理を行い、識別子「５」が重複していることを検出する。また、コンフリクト検出部１３０は、今回検出した重複した識別子と、記憶部１４０にて記憶している、前回の重複判定処理で重複した識別子とが同じ値であるか否かを判定する。コンフリクト検出部１３０は、同じ値であると判定し、マルチ映像システム１Ａによる識別子設定処理では当該識別子の重複が解消できないため、識別子設定処理を終了させる。なお、コンフリクト検出部１３０は、例えば、マルチ映像表示装置１０Ｃのいずれか一つの表示装置や、マルチ映像表示装置１０Ｃに接続する入力装置に、マルチ映像システム１Ａの利用者に向けて、重複した識別子を手動などで変更するよう促すメッセージを表示してもよい。
【００４１】
（識別子設定処理のフローチャート）
図８は、マルチ映像システム１Ａにおける識別子設定処理の流れの一例を示すフローチャートである。
【００４２】
まず、コマンド送信部１１０は、各表示装置に対してコマンドを送付し、識別子の割り当てを開始する（ステップＳ１００）。次に、識別子受信部１２０は、各表示装置から、それぞれの識別子を受信する（ステップＳ１０２）。次に、コンフリクト検出部１３０は、識別子の重複がないか否かを判定する（ステップＳ１０４）。コンフリクト検出部１３０は、識別子のすべてが一意の値となっていると判定した場合、識別子設定処理を終了する（ステップＳ１０６）。コンフリクト検出部１３０は、識別子が一意の値となっていないと判定した場合、重複した識別子と、記憶部１４０に記憶されている識別子とが同じであるか否かを判定する（ステップＳ１０８）。コンフリクト検出部１３０は、重複した識別子と、記憶されている識別子とが同じ値であると判定した場合、ステップＳ１０６を実行する。コンフリクト検出部１３０は、重複した識別子と、記憶されている識別子とが同じでないと判定した場合、重複した識別子を、記憶部１４０に記憶する（ステップＳ１１０）。次に、コマンド送信部１１０は、重複した識別子に基づいて、識別子の起点を設定し、ステップＳ１００から処理を再実施する（ステップＳ１１２）。これにより本フローチャートの処理は終了する。
【００４３】
上述したように第２の実施形態によれば、第１の実施形態と同様の効果を奏する他、マルチ映像システム１Ａを構成する複数の表示装置に、本発明に未対応の表示装置９００を含む場合であって、その未対応の表示装置９００が保持する識別子と重複しない識別子を、マルチ映像システム１を構成する複数の表示装置の全てに対して、設定することができる。また、未対応の表示装置９００が複数台存在し、その保持する識別子が重複している場合には、その重複を検出することができる。
【００４４】
上述した実施形態における表示装置１００および表示装置２００が実行する識別子設定処理は、図２〜図７に示した入力装置がコンピュータである場合、この入力装置で実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、ＨＤＤ（Hard Disk Drive）やフラッシュメモリなどのコンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４５】
なお、上述した実施形態において各表示装置に設定された識別子は、映像信号を出力する際に各表示装置を識別する用途に限らず、例えば、各表示装置のＩＰアドレスの割り当てに用いてもよい。この場合、識別子を各表示装置のＩＰアドレスの割り当てに用いるか否かは、マルチ映像システムの利用者が任意に選択できるものとする。
【００４６】
なお、記憶部１４０の初期値は、例えば、工場出荷時に任意の値に設定されてもよい。また、記憶部１４０の初期値は、例えば、所定の処理でリセットされてもよい。所定の処理とは、例えば、マルチ映像システムの利用者が意図的に設定をクリアする処理や、マルチ映像システムの識別子設定処理の後に行われる終了処理である。
【００４７】
以上、この発明の実施形態について図面を参照して詳述してきたが、具体的な構成はこの実施形態に限られるものではなく、この発明の要旨を逸脱しない範囲の設計等も含まれる。
【符号の説明】
【００４８】
１、１Ａ…マルチ映像システム
１０、１０Ａ、１０Ｂ、１０Ｃ…マルチ映像表示装置
１００…表示装置（マスター）
２００、２００Ａ〜２００Ｇ…表示装置（スレーブ）
９００、９００Ａ、９００Ｂ…未対応表示装置
１１０…コマンド送信部
１２０…識別子受信部
１３０…コンフリクト検出部
１４０…記憶部
２１０…コマンド受信部
２２０…識別子割り当て部
２３０…識別子送信部
【図１】
2019129423.tif 000003
【図２】
2019129423.tif 000004
【図３】
2019129423.tif 000005
【図４】
2019129423.tif 000006
【図５】
2019129423.tif 000007
【図６】
2019129423.tif 000008
【図７】
2019129423.tif 000009
【図８】
2019129423.tif 000010